(57)【要約】【課題】  従来市販されているコリをほぐす器具としては、自分の体重を乗せ足踏みしなければならず、慣れるまでは痛みを我慢しなければならない。マッサージ椅子は全身を揉むが、後頭部や足裏の部分的ツボを押すには不向きであり、高価でもある。使用者が高齢でも病弱でも体力を使わず、湯船・ソファー・ベッド等で使用出来、若い人も仕事の疲れを手軽に解消できる器具を提供するものである。【解決手段】  アーチ状ケースの蓋部分（１）に穴を配し、ツボ押し突起プレート（３）を穴部分（４）にセットして裏蓋（２）を閉じればよい。入浴時バスタブ内でも使用可能にするため材質を樹脂及び硬質ゴムで成型し錆びない物にし、入浴時にも使用できるのが特徴である。【選択図】  図１
2007068926.tif 000002
【特許請求の範囲】
【請求項１】
コリをほぐす為の突起プレートを、穴の開いたアーチ状のケースに収め突起の高さを高・中・低に調整し、好みの圧力に出来る指圧代替の健康補助器具。
【発明の詳細な説明】
【技術分野】
【０００１】  この発明は、コリをほぐすツボ押し突起を、高・中・低  と高さの違うプレート板とし、それを差し替えることによって、ツボ押し突起の圧力を調整することの出来る（ツボ押し器）の機能に関するものである。
【背景技術】
【０００２】  従来、ツボを刺激する道具としては、竹踏み状の物  板の上に突起を配置した物  健康サンダル  等であり何れも突起の調整が出来ない物であった。
【発明の開示】
【発明が解決しようとする課題】
【０００３】  従来品は、足裏のみのツボを刺激するための器具であるため、首筋や後頭部のツボを自分に合った圧力で刺激を得られる器具を開発しようと考えた。
【課題と解決するための手段】
【０００４】  ツボ押し突起をプレート状に配し、ケース上蓋の穴部分にセットし、蓋を閉じることにより固定出来る。突起プレートは（高〜低）好みの高さの突起プレートを選び、差し替えるだけで圧の調整が出来るように考案した。
【発明の効果】
【０００５】  バスタブ内で使用出来るよう形状を斜視図のごとくアーチ状に作成し、吸盤で固定する事によってリラックスしながら、首筋・後頭部・足裏等のツボを刺激しコリをほぐす効果が得られる。乾燥していれば、枕やソファーの背に乗せて使用する事が出来る。
【発明を実施するための最良の形態】
【０００６】  以下、本発明の実施例について説明する。
ツボ押し器は（１）の上蓋部分と、（２）の裏蓋部分及び（３）のツボ押し突起を配列したプレートによって構成されている。
（１）の上蓋にはプレートの突起に合った穴が配列されてあり、（３）の突起プレートを穴に差込み（２）の裏蓋を閉じれば使用可能な状態となる。
入浴時、バスタブ内で使用する場合は、付属の吸盤を（２）の裏蓋に取り付け、タイルや浴槽に固定することが出来る。
突起プレートは、高さを３種類とし、好みの高さのプレートをセットすることが出来る。
突起プレートは高さにより色分けし、一見して高さの違いが判別出来るようにした。
【図面の簡単な説明】
【０００７】
【図１】本発明の斜視図である。
【図２】本体ケースの上蓋を開いた時の斜視図である。
【図３】ツボ押し具を浴槽内で使用している場合の説明図である。
【図４】平面図、平面図（裏面）
【図５】底面図（内側）、底面図
【図６】正面断面図、側面断面図、プレート平面図
【図７】プレート側面図、プレート底面図
【符号の説明】
【０００８】  １〜ケース上蓋
２〜ケース裏蓋
３〜ツボ押し突起プレート
４〜突起装着ガイド穴
５〜突起プレート収納枠
６〜蓋留め具
７〜蝶番
８〜プレート板押さえ
９〜付属品吸盤留め具
【図１】
2007068926.tif 000003
【図２】
2007068926.tif 000004
【図３】
2007068926.tif 000005
【図４】
2007068926.tif 000006
【図５】
2007068926.tif 000007
【図６】
2007068926.tif 000008
【図７】
2007068926.tif 000009
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
アーチ状のケースと、コリをほぐすための複数の突起が配列されたプレートとを有し、
前記ケースは、複数の孔が設けられた上蓋と、裏蓋とを有し、
前記プレートの前記複数の突起が、前記上蓋に設けられた前記複数の孔を下方より貫通して当該上蓋の上方に突出するように、前記プレートは、前記上蓋と前記裏蓋との間に配置されて前記ケースに収容されることを特徴とする健康器具。
【手続補正２】
【補正対象書類名】明細書
【補正対象項目名】全文
【補正方法】変更
【補正の内容】
【発明の詳細な説明】
【技術分野】
【０００１】
この発明は、コリをほぐすツボ押し突起を、高・中・低  と高さの違うプレート板とし、それを差し替えることによって、ツボ押し突起の圧力を調整することの出来る（ツボ押し器）の機能に関するものである。
【背景技術】
【０００２】
従来、ツボを刺激する道具としては、竹踏み状の物、板の上に突起を配置した物、健康サンダル  等であり何れも突起の調整が出来ない物であった。
【発明の開示】
【発明が解決しようとする課題】
【０００３】
従来品は、足裏のみのツボを刺激するための器具であるため、首筋や後頭部のツボを自分に合った圧力で刺激を得られる器具を開発しようと考えた。
【課題を解決するための手段】
【０００４】
ツボ押し突起をプレート状に配し、ケース上蓋の孔部分にセットし、蓋を閉じることにより固定出来る。突起プレートは（高〜低）好みの高さの突起プレートを選び、差し替えるだけで圧の調整が出来るように考案した。
【発明の効果】
【０００５】
バスタブ内で使用出来るよう形状を斜視図のごとくアーチ状に作成し、吸盤で固定することによってリラックスしながら、首筋・後頭部・足裏などのツボを刺激しコリをほぐす効果が得られる。乾燥していれば、枕やソファーの背に乗せて使用することが出来る。
【発明を実施するための最良の形態】
【０００６】
以下、本発明の実施例について説明する。
ツボ押し器は（１）の上蓋部分と、（２）の裏蓋部分及び（３）のツボ押し突起を配列したプレートによって構成されている。
（１）の上蓋にはプレートの突起に合った孔が配列されてあり、（３）の突起プレートを孔に差し込み（２）の裏蓋を閉じれば使用可能な状態となる。
入浴時、バスタブ内で使用する場合は、付属の吸盤を（２）の裏蓋に取り付け、タイルや浴槽に固定することが出来る。
突起プレートは、高さを３種類とし、好みの高さのプレートをセットすることが出来る。
突起プレートは高さにより色分けし、一見して高さの違いが判別出来るようにした。
【図面の簡単な説明】
【０００７】
【図１】本発明の実施形態に係るツボ押し器の斜視図である。
【図２】本発明の実施形態に係るツボ押し器のケース上蓋を開いたようすを表す斜視図である。
【図３】本発明の実施形態に係るツボ押し器の浴槽内における使用形態を示す図である。
【図４】本発明の実施形態に係るツボ押し器のケース上蓋の上面図と下面図である。
【図５】本発明の実施形態に係るツボ押し器のケース裏蓋の上面図と下面図である。
【図６】本発明の実施形態に係るツボ押し器の正面断面図と側面断面図と、本発明の実施形態に係るツボ押し突起プレートの上面図である。
【図７】本発明の実施形態に係るツボ押し器のツボ押し突起プレートの側面図と下面図である。
【符号の説明】
【０００８】
１…ケース上蓋、２…ケース裏蓋、３…ツボ押し突起プレート、４…突起ガイド孔、５…突起プレート収納枠、６…蓋留め具、７…蝶番、８…プレート板押さえ、９…付属品吸盤留め具。
【手続補正３】
【補正対象書類名】図面
【補正対象項目名】全図
【補正方法】変更
【補正の内容】
【図１】
2007068926.tif 000010
【図２】
2007068926.tif 000011
【図３】
2007068926.tif 000012
【図４】
2007068926.tif 000013
【図５】
2007068926.tif 000014
【図６】
2007068926.tif 000015
【図７】
2007068926.tif 000016